(57)【要約】      （修正有）【課題】放射線画像復旧の際のユーザの作業負担を軽減する装置を提供する。【解決手段】Ｘ線撮影装置に記憶された撮影画像に対応する検査の進捗情報に基づいて、検査の進捗状況を特定し、進捗情報に検査の状態が検査中であることを示す情報が含まれる場合、検査の進捗状況として検査が検査中であることを特定し、進捗情報に検査の状態を示す情報が含まれない場合、検査の進捗状況として検査が存在しないことを特定し、特定された進捗状況を出力する。【選択図】図８
2016158663.tif 000002
【特許請求の範囲】
【請求項１】
Ｘ線撮影装置に記憶された撮影画像に対応する検査の進捗情報に基づいて、前記検査の進捗状況を特定する特定手段と、
前記特定手段により特定された前記進捗状況を出力する出力手段と、
を有する情報処理装置。
【請求項２】
前記特定手段は、前記進捗情報に前記検査の状態が検査中であることを示す情報が含まれる場合、前記検査の進捗状況として前記検査が検査中であることを特定する請求項１記載の情報処理装置。
【請求項３】
前記特定手段は、前記進捗情報に前記検査の状態を示す情報が含まれない場合、前記検査の進捗状況として前記検査が存在しないことを特定する請求項１又は２記載の情報処理装置。
【請求項４】
管理サーバから前記検査の進捗情報を取得する第１の取得手段を更に有し、
前記特定手段は、前記第１の取得手段により取得された前記進捗情報に基づいて、前記検査の進捗状況を特定する請求項１乃至３何れか１項記載の情報処理装置。
【請求項５】
前記出力手段は、前記特定手段により前記検査が検査中であることが特定された場合、更に、Ｘ線撮影装置に未保存の前記検査に対応する前記撮影画像が存在することを示す情報と、前記撮影画像に対する処理の決定に利用される操作画面と、を出力し、
前記出力手段により出力された前記操作画面を介したユーザによる操作に基づいて、前記Ｘ線撮影装置から前記撮影画像と前記撮影画像の付帯情報とを取得する第２の取得手段と、
記憶サーバに対して前記第２の取得手段により取得された前記撮影画像と前記付帯情報とを記憶するよう指示する指示手段と、
前記管理サーバに対して前記検査が完了したことを示す通知情報を通知する通知手段と、
を更に有する請求項４記載の情報処理装置。
【請求項６】
前記第２の取得手段により取得された前記撮影画像に対して、前記操作画面を介したユーザによる操作に基づいて、画像処理を施す画像処理手段を更に有し、
前記指示手段は、記憶サーバに対して前記画像処理手段により画像処理を施された前記撮影画像と前記付帯情報とを記憶するよう指示する請求項５記載の情報処理装置。
【請求項７】
前記指示手段は、前記記憶サーバに対して、前記撮影画像と前記付帯情報とを前記情報処理装置の識別情報と対応付けて記憶するように指示し、
前記通知手段は、前記管理サーバに対して、前記情報処理装置の識別情報を含む前記通知情報を通知する請求項５又は６記載の情報処理装置。
【請求項８】
前記通知手段により前記管理サーバに対して前記検査が完了したことを示す通知情報が通知された場合、前記検査が完了したことを履歴情報として記憶する第１の記憶制御手段を更に有する請求項５乃至７何れか１項記載の情報処理装置。
【請求項９】
前記撮影画像が記憶サーバに存在するか否かを判定する判定手段を更に有し、
前記出力手段は、前記判定手段により前記撮影画像が記憶サーバに存在しないと判定され、前記特定手段により前記検査が検査中であることが特定された場合、前記Ｘ線撮影装置に未保存の前記検査に対応する前記撮影画像が存在する旨の情報を出力する請求項４記載の情報処理装置。
【請求項１０】
前記出力手段は、前記判定手段により前記撮影画像が記憶サーバに存在しないと判定され、前記特定手段により前記検査が検査中であることが特定された場合、更に、前記撮影画像に対する処理の決定に利用される操作画面を出力し、
前記出力手段により出力された前記操作画面を介したユーザによる操作に基づいて、前記Ｘ線撮影装置から前記撮影画像と前記撮影画像の付帯情報とを取得する第２の取得手段と、
記憶サーバに対して前記第２の取得手段により取得された前記撮影画像と前記付帯情報とを記憶するよう指示し、前記Ｘ線撮影装置に対して前記撮影画像を消去するよう指示する指示手段と、
前記管理サーバに対して前記検査が完了したことを示す通知情報を通知する通知手段と、
を更に有する請求項９記載の情報処理装置。
【請求項１１】
前記第２の取得手段により取得された前記撮影画像に対して、前記操作画面を介したユーザによる操作に基づいて、画像処理を施す画像処理手段と、
前記指示手段は、記憶サーバに対して前記画像処理手段により画像処理を施された前記撮影画像と前記付帯情報とを記憶するよう指示する請求項１０記載の情報処理装置。
【請求項１２】
前記指示手段は、前記記憶サーバに対して前記撮影画像と前記付帯情報とを前記情報処理装置の識別情報と対応付けて記憶するように指示し、
前記通知手段は、前記管理サーバに対して、前記情報処理装置の識別情報を含む前記通知情報を通知する請求項１０又は１１記載の情報処理装置。
【請求項１３】
前記通知手段により前記管理サーバに対して前記検査が完了したことを示す通知情報が通知された場合、前記検査が完了したことを示す履歴情報を記憶する第１の記憶制御手段を更に有する請求項１０乃至１２何れか１項記載の情報処理装置。
【請求項１４】
前記出力手段により出力された前記操作画面を介したユーザによる操作に基づいて、前記Ｘ線撮影装置に対して、前記撮影画像を消去するよう要求する要求手段を更に有する請求項１０乃至１３何れか１項記載の情報処理装置。
【請求項１５】
前記特定手段により前記検査が存在しないことが特定された場合、前記Ｘ線撮影装置から前記撮影画像と前記撮影画像の付帯情報とを取得し、前記撮影画像と前記付帯情報とを記憶する第２の記憶制御手段を更に有する請求項１乃至１４何れか１項記載の情報処理装置。
【請求項１６】
外部の情報処理装置からの前記検査に対応する前記撮影画像の要求に応じて、前記撮影画像を前記外部の情報処理装置へ送信する送信手段を更に有する請求項１５記載の情報処理装置。
【請求項１７】
情報処理装置が実行する情報処理方法であって、
Ｘ線撮影装置に記憶された撮影画像に対応する検査の進捗情報に基づいて、前記検査の進捗状況を特定する特定ステップと、
前記特定ステップで特定された前記進捗状況を出力する出力ステップと、
を含む情報処理方法。
【請求項１８】
コンピュータに、
Ｘ線撮影装置に記憶された撮影画像に対応する検査の進捗情報に基づいて、前記検査の進捗状況を特定する特定ステップと、
前記特定ステップで特定された前記進捗状況を出力する出力ステップと、
を実行させるためのプログラム。
【発明の詳細な説明】
【技術分野】
【０００１】
本発明は、情報処理装置、情報処理方法及びプログラムに関する。
【背景技術】
【０００２】
近年、放射線画像を撮影するデジタル放射線撮影システムが製品化されている。デジタル放射線撮影システムは、放射線センサにて撮影した放射線画像をデジタル化し、デジタル化した放射線撮影画像に画像処理を施して、より鮮明な放射線画像を生成することができる。
図１は、デジタル放射線撮影システム１と周辺機器のシステム構成等の一例を示す図である。デジタル放射線撮影システム１は、放射線発生装置５、画像キャプチャ装置６、放射線照射装置７、放射線センサ８等を含む。画像キャプチャ装置６は、ＲＩＳ２、進捗管理サーバ３、ＰＡＣＳ４等と接続されている。
【０００３】
ＲＩＳ２は、撮影を行う被写体情報や検査情報をデジタル放射線撮影システム１へ送信するＲＩＳ（Ｒａｄｉｏｌｏｇｙ  Ｉｎｆｏｒｍａｔｉｏｎ  Ｓｙｓｔｅｍ）である。進捗管理サーバ３は、デジタル放射線撮影システム１による撮影進捗状況の管理をＭＰＰＳ（Ｍｏｄａｌｉｔｙ  Ｐｅｒｆｏｒｍｅｄ  Ｐｒｏｃｅｄｕｒｅ  Ｓｔｅｐ）等の手続きに則って行う進捗管理サーバである。ＰＡＣＳ４は、デジタル放射線撮影システム１で撮影した放射線画像を受け取り保存するＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）である。
放射線発生装置５は、放射線照射装置７を制御する。画像キャプチャ装置６は、放射線センサ８で蓄積された放射線画像をキャプチャして画像データ化した後、画像処理を施してＰＡＣＳ４へ送信する。放射線照射装置７は、放射線発生装置５の制御により放射線を発する。放射線センサ８は、画像キャプチャ装置６と接続され放射線照射装置７による放射線照射と同期して放射線画像を生成し、生成した放射線画像を蓄積したり、画像キャプチャ装置６へ送信したりする。
【０００４】
通常、デジタル放射線撮影システム１は、ＲＩＳ２から、これから実施する放射線撮影の情報を入手し、入手した情報を基に放射線撮影を実施する。図２に一連の検査の流れを示す。図２は、デジタル放射線撮影システムの処理の一例を示すシーケンス図である。
Ｓ１００において、画像キャプチャ装置６は、放射線撮影技師等のユーザによる操作部への操作に基づいて、ＲＩＳ２からの撮影情報を取得する。
Ｓ１０１において、画像キャプチャ装置６は、Ｓ１００で取得した撮影情報に含まれる検査の中から、これから実施する検査を選択する。より具体的には、画像キャプチャ装置６は、前記撮影情報に含まれる検査を示す情報の中から、これから実施する検査に対応する情報を抽出し、抽出した情報に対応する検査を選択したものとする。
Ｓ１０２において、画像キャプチャ装置６は、Ｓ１０１での検査の情報の選択処理と同期して、以下の処理を行う。即ち、画像キャプチャ装置６は、進捗管理サーバ３に対して、検査を開始した旨を示す通知であるＮ−Ｃｒｅａｔｅを、Ｓ１０１で選択された検査を識別するＩｎｓｔａｎｃｅ−ＵＩＤ情報と共に通達する。
【０００５】
Ｓ１０３において、画像キャプチャ装置６は、放射線撮影技師による患者等の被写体のポジショニング等の完了によって、撮影準備完了状態となる。
Ｓ１０４において、画像キャプチャ装置６は、放射線画像の撮影を行う。
Ｓ１０５において、画像キャプチャ装置６は、撮影した放射線画像を放射線センサ８から取り込み、画像処理を施して画質を最適化する。
Ｓ１０６において、画像キャプチャ装置６は、Ｓ１０５の処理が完了したことを検知し、検査を完了する。
Ｓ１０７において、画像キャプチャ装置６は、Ｓ１０４で撮影し、Ｓ１０５で最適化した放射線画像をＰＡＣＳ４へ送信する。
Ｓ１０８において、画像キャプチャ装置６は、進捗管理サーバ３に対して、検査を完了したことを示す通知であるＮ−Ｓｅｔと検査を識別するＩｎｓｔａｎｃｅ−ＵＩＤ情報とを通達する。
以上でＲＩＳ２から指定された検査が終了する。
【０００６】
一方、放射線撮影における撮影画像の消失は、患者に対しての被爆が無効となり、再撮影による前記患者への過剰被爆を招くことから、可能な限り回避することが望ましい。放射線撮影における撮影画像の消失を防ぐための技術としては、特許文献１の技術がある。
特許文献１では、撮影済み画像を放射線センサ８内の撮影画像保存用のメモリに撮影画像の付帯情報と共に保存しておく手法について開示されている。
【０００７】
図３は、放射線センサ８のハードウェア構成の一例を示す図である。放射線センサ８は、センサアレー３０、センサ読出部３１、ワークメモリ３２、ＣＰＵ３３、不揮発性メモリ３４、データ通信部３５等を含む。
センサアレー３０は、放射線を検知し電荷情報に変換する。センサ読出部３１は、センサアレー３０に蓄積された電荷情報をデジタル化して読み出す。ワークメモリ３２は、読み出したデジタル値を画像として再構成する等の用途に利用される。ＣＰＵ３３は、放射線センサ全体の制御を司る中央演算装置である。不揮発性メモリ３４は、画像として再構成された撮影画像を保存する。データ通信部３５は、外部と通信して再構成した撮影画像を送信する。
ＣＰＵ３３が、不揮発性メモリ３４等に記憶されたプログラムに基づき処理を実行することによって、放射線センサ８の機能及び処理が実現される。
図２のＳ１００で説明した通り、デジタル放射線撮影システム１は、撮影開始の際にＲＩＳ２から実施する検査のＩｎｓｔａｃｅ−ＵＩＤ、患者ＩＤ、患者名、撮影部位等の属性情報等を取得する。デジタル放射線撮影システム１は、撮影を実施する際に、取得した情報に基づいて、ｋＶ値、ｍＡｓ値等の放射線パラメータ情報を決定し、ＰＡＣＳ４へ画像送信する際に、画像処理パラメータを決定する。
【０００８】
特許文献１では、放射線撮影が完了しＰＡＣＳ４へ画像を送信する際に、画像キャプチャ装置６が前記属性情報を放射線センサ８へ送信し、放射線センサ８が不揮発性メモリ３４に前記属性情報を保存する手法が述べられている。前記手法の詳細は、次のとおりである。
センサアレー３０は、放射線センサ８による放射線画像の撮影処理の際、放射線を電荷情報に変換し、変換した電化情報を蓄積する。センサ読出部３１は、ＣＰＵ３３からの命令に基づいて、センサアレー３０から電荷情報を読み出し、前記電荷情報をデジタル化してワークメモリ３２へデジタル画素値情報として転送する。ＣＰＵ３３は、データ通信部３５を介して、ワークメモリに転送された前記デジタル画素値情報を画像キャプチャ装置６へ送信する。
画像キャプチャ装置６は、放射線センサ８から受信した前記デジタル画素値情報に画像処理を施して画像生成を行い、表示部等に表示する。画像キャプチャ装置６は、ユーザによる操作部への操作に基づいて、生成した画像をＰＡＣＳ４へ送信する。また、画像キャプチャ装置６は、データ通信部３５を介して、撮影した画像の付帯情報（Ｉｎｓｔａｎｃｅ−ＵＩＤや、患者ＩＤ、患者名、部位情報、放射線パラメータ等）を放射線センサ８へ送信する。ＣＰＵ３３は、受信した前記付帯情報と前記デジタル画素値情報とを対応付けて不揮発性メモリ３４等に保存する。
【０００９】
以上の処理のように、デジタル放射線撮影システム１は、撮影済み放射線画像に前記放射線画像に関連する付帯情報をつけて放射線センサ８内に保存しておくことで、放射線撮影中に画像キャプチャ装置６に障害が生じても、後の復旧が容易となる。即ち、デジタル放射線撮影システム１は、撮影済み画像を放射線センサ８から再読込を行い、前記画像と付帯情報とに基づいて、画像処理済み画像の再生成や、どの患者のどの撮影の画像かを正しく判別することが可能となる。
また、特許文献２では、画像保存用のメモリを有する放射線センサ８が画像キャプチャ装置６からの画像受信成功信号を受け取ると、放射線センサ８が記憶する撮影済み画像データを消去する手法が開示されている。特許文献２の手法によれば、デジタル放射線撮影システム１は、放射線センサ８内には画像キャプチャ装置での画像受信に失敗した画像のみが残されるため、不要となった撮影済み画像データを効率よく消去できる。
【先行技術文献】
【特許文献】
【００１０】
【特許文献１】特開２００４−１８０９３１号公報
【特許文献２】特開２００８−１１９０１８号公報
【発明の概要】
【発明が解決しようとする課題】
【００１１】
デジタル放射線撮影システム１は、撮影画像の消失を可能な限り避ける必要がある。したがって、画像キャプチャ装置６は、画像撮影後、ＰＡＣＳ４への画像保存前にハングアップしないように、あらゆる障害を回避することが望ましい。しかし、画像キャプチャ装置６において発生する障害を皆無にすることは、困難である。一方、デジタル放射線撮影システム１がハングアップしたとしても、デジタル放射線撮影システム１は、放射線センサ８内に撮影済み画像を保存することで、以下の画像復旧ができる。即ち、デジタル放射線撮影システム１は、障害を起こした画像キャプチャ装置６が再起動した後に、放射線センサ８が記憶する画像を再取得することで、再撮影せずに画像復旧ができる。
しかしながら、画像キャプチャ装置６の再起動が不可能である場合、放射線センサ８内部に残された画像と実施している検査との対応付は、困難である。特許文献１のように、放射線センサ８に撮影画像と患者ＩＤ・部位情報・画像処理情報等の付帯情報とが対応付けて記憶されていれば、デジタル放射線撮影システム１は、前記付帯情報に基づいて、ＲＩＳ２からのオーダーに含まれる検査との対応付けができる。即ち、デジタル放射線撮影システム１は、放射線センサ８に記憶された前記付帯情報に含まれるＩｎｓｔａｎｃｅ−ＵＩＤが合致するオーダーを、ＲＩＳ２から探せばよい。
【００１２】
一方、実際の運用では、画像キャプチャ装置６と放射線センサ８とは、密に結合している場合がある。即ち、画像キャプチャ装置を利用せずに放射線センサ８から撮影済み画像を読み出すのは、困難である。したがって、デジタル放射線撮影システム１は、画像キャプチャ装置６の再起動ができない場合、放射線センサ８から撮影済み画像を読み出すために、画像キャプチャ装置６と同一の機能を有する別の画像キャプチャ装置が必要となる。比較的規模の大きな病院は、複数の同一のデジタル放射線撮影システム１を所有している。そのような場合、ユーザは、撮影済み画像が保存された放射線センサ８を、再起動が不可能な画像キャプチャ装置６から取り外し、同一の機能を有する別の画像キャプチャ装置に接続し、画像復旧を行う。別の画像キャプチャ装置で放射線センサ８から画像を読み出す画像復旧方法には、次のような問題がある。
ユーザには、放射線センサ８内に保存された画像の内、どの画像が復旧を要する画像か分からない。ユーザは、放射線センサ８内に保存された全ての画像を復旧対象とし、復旧対象選択等の操作を行う場合、手間をかけなければならない。
【００１３】
また、放射線センサ８内の画像が既に復旧済みであった場合、ユーザは、再度復旧要否の判断を行う手間をかけなければない。特許文献２に示されている様に放射線センサ８内に画像キャプチャ装置６からの画像受信成功信号を受け取れなかった画像のみが残されている場合、通常、ユーザは、放射線センサ８内の全残存画像について復旧を行えばよい。しかし、一定の条件下では復旧画像の適切な自動判別ができないため、不要な復旧作業をユーザに要求する場合がある。
【００１４】
以上のような問題があるため、ユーザは、不要な復旧作業を行わなければならなくなる。
そこで、本発明は、放射線画像復旧の際のユーザの作業負担を軽減することを目的とする。
【課題を解決するための手段】
【００１５】
そこで、本発明の情報処理装置は、Ｘ線撮影装置に記憶された撮影画像に対応する検査の進捗情報に基づいて、前記検査の進捗状況を特定する特定手段と、前記特定手段により特定された前記進捗状況を出力する出力手段と、を有する。
【発明の効果】
【００１６】
本発明によれば、放射線画像復旧の際のユーザの作業負担を軽減することができる。
【図面の簡単な説明】
【００１７】
【図１】デジタル放射線撮影システムのシステム構成等の一例を示す図である。
【図２】デジタル放射線撮影システム等の処理の一例を示すシーケンス図である。
【図３】放射線センサのハードウェア構成の一例を示す図である。
【図４】デジタル放射線撮影システムのシステム構成等の一例を示す図である。
【図５】画像キャプチャ装置のハードウェア構成の一例を示す図である。
【図６】デジタル放射線撮影システム等の処理の一例を示すシーケンス図である。
【図７】画像復旧処理の一例を示すシーケンス図である。
【図８】画像キャプチャ装置の処理の一例を示すフローチャートである。
【図９】画像復旧処理の一例を示すシーケンス図である。
【図１０】画像キャプチャ装置の処理の一例を示すフローチャートである。
【図１１】デジタル放射線撮影システム等の処理の一例を示すシーケンス図である。
【図１２】デジタル放射線撮影システム等の処理の一例を示すシーケンス図である。
【図１３】デジタル放射線撮影システム等の処理の一例を示すシーケンス図である。
【図１４】画像キャプチャ装置の処理の一例を示すフローチャートである。
【発明を実施するための形態】
【００１８】
以下、本発明の実施形態について図面に基づいて説明する。
【００１９】
＜実施形態１＞
本実施形態におけるデジタル放射線撮影システムのシステム構成及びデジタル放射線撮影システムに接続される周辺機器を図４に示す。図４は、デジタル放射線撮影システムＢ１０を含む点で、図１と異なる。
デジタル放射線撮影システムＢ１０は、画像キャプチャ装置Ｂ１１、放射線発生装置Ｂ１２、放射線照射装置Ｂ１３、放射線センサ８等を含む。画像キャプチャ装置Ｂ１１は、画像キャプチャ装置６と同様の機能を持つ。放射線発生装置Ｂ１２、放射線照射装置Ｂ１３は、それぞれ放射線発生装置５、放射線照射装置７と同様の機能を持つ。画像キャプチャ装置６、画像キャプチャ装置Ｂ１１、ＲＩＳ２、進捗管理サーバ３、ＰＡＣＳ４等は、院内ＬＡＮ１５を介して接続されている。放射線センサ８は、Ｘ線撮影装置の一例である。ＰＡＣＳ４は、記憶サーバの一例である。画像キャプチャ装置Ｂ１１は、情報処理装置の一例である。
【００２０】
図５は、画像キャプチャ装置６、画像キャプチャ装置Ｂ１１のハードウェア構成の一例を示す図である。図５（ａ）は、画像キャプチャ装置６のハードウェア構成の一例を示す。図５（ｂ）は、画像キャプチャ装置Ｂ１１のハードウェア構成の一例を示す。
画像キャプチャ装置６は、ＣＰＵ４０、ＲＡＭ４１、記憶装置４２、入力装置４３、表示装置４４、ネットワークＩ／Ｆ４５等を含む。
ＣＰＵ４０は、画像キャプチャ装置６を統括的に制御するＣＰＵである。ＲＡＭ４１は、ＣＰＵ４０の主メモリ、ワークメモリ等として機能する主記憶装置である。記憶装置４２は、プログラム、画像データ等を記憶する記憶装置である。入力装置４３は、キーボードやマウス等の画像キャプチャ装置６への入力に利用される装置である。
表示装置４４は、モニタ等の画面出力装置である。ネットワークＩ／Ｆ４５は、ネットワークや外部装置との接続に利用されるネットワークインターフェースである。
ＣＰＵ４０が、記憶装置４２等に記憶されたプログラムに基づき処理を実行することによって、画像キャプチャ装置６の機能及び後述するフローチャートの処理等が実現される。
【００２１】
画像キャプチャ装置Ｂ１１は、ＣＰＵ５０、ＲＡＭ５１、記憶装置５２、入力装置５３、表示装置５４、ネットワークＩ／Ｆ５５等を含む。
ＣＰＵ５０は、画像キャプチャ装置Ｂ１１を統括的に制御するＣＰＵである。ＲＡＭ５１は、ＣＰＵ５０の主メモリ、ワークメモリ等として機能する主記憶装置である。記憶装置５２は、プログラム、画像データ等を記憶する記憶装置である。入力装置５３は、キーボードやマウス等の画像キャプチャ装置Ｂ１１への入力に利用される装置である。
表示装置５４は、モニタ等の画面出力装置である。ネットワークＩ／Ｆ５５は、ネットワークや外部装置との接続に利用されるネットワークインターフェースである。
ＣＰＵ５０が、記憶装置５２等に記憶されたプログラムに基づき処理を実行することによって、画像キャプチャ装置Ｂ１１の機能及び後述するフローチャートの処理等が実現される。
【００２２】
放射線センサ８による撮影において、ＣＰＵ３３は、不揮発性メモリ３４に、撮影した放射線画像を記録する。ＣＰＵ３３は、撮影した放射線画像を、撮影画像毎に発行するＩｎｓｔａｎｃｅ−ＵＩＤと対応付けて記録する。また、ＣＰＵ３３は、撮影した放射線画像を、患者ＩＤや患者名、患者の性別、撮影部位等の患者情報、撮影の際のｋＶ値やｍＡ値、ｍＡｓ値等の放射線発生装置情報等と対応付けて記録してもよい。更に、ＣＰＵ３３は、撮影した放射線画像を前記放射線画像に施される画像処理のパラメータ情報等に対応付けて記録してもよい。患者ＩＤや患者名、患者の性別、撮影部位等の患者情報、撮影の際のｋＶ値やｍＡ値、ｍＡｓ値等の放射線発生装置情報、画像処理のパラメータ情報等は、画像の付帯情報の一例である。
【００２３】
図６は、デジタル放射線撮影システムの処理の一例を示すシーケンス図である。図６を用いて、放射線センサ８による放射線画像と各種付帯情報との保存に関する処理を説明する。
図２の処理と異なる点を主に説明する。Ｓ１０１の処理によって、ＣＰＵ４０は、Ｉｎｓｔａｎｃｅ−ＵＩＤ、患者情報等の付帯情報を決定する。また、ＣＰＵ４０は、Ｉｎｓｔａｎｃｅ−ＵＩＤ、患者情報等の付帯情報を決定する際に、放射線発生装置情報、画像処理パラメータ情報の初期値も決定してもよい。
Ｓ２００において、ＣＰＵ４０は、Ｓ１０１で決定したＩｎｓｔａｎｃｅ−ＵＩＤ等の情報を、撮影を行う画像の付帯情報として放射線センサ８へ送信する。ＣＰＵ３３は、データ通信部３５を介して、画像キャプチャ装置６により送信された付帯情報を受信し、撮影に備えて、受信した付帯情報をワークメモリ３２に保存する。
【００２４】
Ｓ２０１において、ＣＰＵ４０は、Ｓ１０１で放射線発生装置情報の初期値を決定した場合、決定した放射線発生装置情報の初期値を放射線発生装置５へ送信する。放射線発生装置５は、受信した放射線発生装置情報の初期値に基づいて、ｋＶ値やｍＡ値、ｍＡｓ値等の値を初期化する。
Ｓ２０２において、放射線発生装置５は、操作部等を介したユーザの操作に基づいて、ｋＶ値やｍＡ値、ｍＡｓ値等を調整する。
Ｓ２０３において、放射線発生装置５は、Ｓ１０３、Ｓ２０２の処理が完了した後、被写体に対して放射線を曝射する。Ｓ１０４の処理は、Ｓ２０３の処理と同期して行われる。ＣＰＵ３３は、Ｓ１０４の処理の完了を検知すると、センサ読出部３１を介してセンサアレー３０から放射線画像の情報をデジタル化して読み出し、ワークメモリ３２に記録する。また、ＣＰＵ３３は、ワークメモリ３２上に保存した放射線画像の情報とＳ２００で送信された付帯情報とを対応付けて不揮発性メモリ３４に記録する。
【００２５】
Ｓ２０４において、放射線発生装置５は、Ｓ２０３の処理の際の放射線発生装置情報を画像キャプチャ装置６へ送信する。
Ｓ２０５において、ＣＰＵ４０は、Ｓ２０４で送信された放射線発生装置情報の調整済値を放射線センサ８へ送信する。ＣＰＵ３３は、データ通信部３５を介して、送信された放射線発生装置情報を受信し、受信した放射線発生装置情報で、Ｓ２００でワークメモリ３２に保存した前記放射線画像に対応する付帯情報に含まれる放射線発生装置情報を、更新する。続けて、ＣＰＵ３３は、Ｓ２０５で更新された放射線画像の付帯情報で、不揮発性メモリ３４に保存している付帯情報を更新する。
Ｓ２０６において、ＣＰＵ４０は、Ｓ１０４で撮影した放射線画像を放射線センサ８から取り込む。ＣＰＵ４０は、Ｓ１０４で取り込んだ画像に、Ｓ１０５で画像処理を施し、画像処理を施した画像を表示する。
Ｓ１０５において、ＣＰＵ４０は、表示した画像を視認する放射線撮影技師等のユーザの入力装置４３を介した操作に基づいて、画像処理パラメータを調整して画質を最適化する。
【００２６】
Ｓ２０７において、ＣＰＵ４０は、Ｓ１０５で調整した画像処理パラメータ情報を放射線センサ８へ送信する。ＣＰＵ３３は、データ通信部３５を介して、Ｓ２０７で送信された画像処理パラメータ情報を受信し、受信した画像処理パラメータ情報で、Ｓ２００でワークメモリ３２に保存した付帯情報に含まれる画像処理パラメータ情報を更新する。続けて、ＣＰＵ３３は、更新された付帯情報で不揮発性メモリ３４に保存した付帯情報を更新する。
Ｓ１０８の処理が完了すると、図６の処理が完了する。図６のシーケンスにおいて、放射線センサ８は、不揮発性メモリ３４に保存した画像の付帯情報を、可能な限り最新の付帯情報として保存するために、付帯情報の変更が発生するたびに、付帯情報を更新する。
【００２７】
Ｓ１０４で撮影が実施され、放射線センサ８による撮影画像の不揮発性メモリ３４への保存が完了して以降、画像キャプチャ装置６は、何らかの原因で処理を停止した場合、Ｓ１０４で撮影された画像を、ＰＡＣＳ４へ送信できない場合がある。
その様な場合であっても、特許文献１のように後に放射線センサ８から撮影済み放射線画像を読み出すことで撮影済み画像を救済する手法のような従来技術が存在する。特許文献１では、放射線センサに画像保存用のメモリを搭載し、前記メモリに撮影済み画像を保存する方法が開示されている。
【００２８】
特許文献１の様な機能を有するデジタル放射線撮影システム１は、放射線撮影後に画像キャプチャ装置６が何らかの原因で処理を停止しても、以下の処理を行うことができる。即ち、デジタル放射線撮影システム１は、画像キャプチャ装置６の再起動後に、画像キャプチャ装置６の停止前のステータスを引き継ぎ、放射線センサ８に残されている撮影済み画像を再読み込みすることで、撮影済み画像の復旧ができる。
特許文献１のような機能を有する放射線センサ８では、撮影済み画像を保存する不揮発性メモリ３４は、１枚又は複数枚分の画像の容量を有し、保存容量が一杯となったら、過去の画像を逐次消去していくリングバッファ構造を取る場合がある。その理由は、不揮発性メモリ３４の容量が許す限りの過去画像を放射線センサ８に残しておくことで、仮に画像キャプチャ装置６に保存しておいた撮影画像が消滅しても、直近の撮影画像をリングバッファの容量分だけ、放射線センサ８から復元することができるためである。
撮影済み画像に画像処理を施した画像は、ＰＡＣＳ４にも保存されているが、オリジナル画像に別の画像処理パラメータによる画像処理を施すには、画像キャプチャ装置６にオリジナル画像が保存されている必要がある。リングバッファの容量が許す限りの数の撮影画像を復元することで、デジタル放射線撮影システム１は、画像キャプチャ装置６にオリジナル画像を復元することができる。
【００２９】
そのような撮影済み画像の保存用にリングバッファ構造を持つ不揮発性メモリ３４を有する放射線センサ８を含むデジタル放射線撮影システム１が撮影中に画像キャプチャ装置６に障害が発生した場合を想定する。別の画像キャプチャ装置６と同一タイプの画像キャプチャ装置が撮影済み画像の復旧を行うこととする。
本実施形態では、デジタル放射線撮影システム１によるＲＩＳ２からのオーダーに応じた放射線撮影の実施中に、画像キャプチャ装置６が何らかの原因で再起動できなくなった場合の撮影済み画像の復旧方法を説明する。即ち、撮影に使用していた放射線センサ８を別の画像キャプチャ装置である画像キャプチャ装置Ｂ１１に接続することで撮影済み画像を復旧する方法について説明する。本実施形態におけるデジタル放射線撮影システム１の処理を図７に示す。本実施形態における画像キャプチャ装置Ｂ１１の処理を図８に示す。
【００３０】
図７は、画像復旧処理の一例を示すシーケンス図である。Ｓ１００〜Ｓ１０４、Ｓ２００、Ｓ２０５の処理は、図６と同様である。Ｓ１０１の処理によって、ＣＰＵ４０は、Ｉｎｓｔａｎｃｅ  ＵＩＤ、患者情報以外に、場合によっては前記放射線発生装置情報や画像処理パラメータ情報の初期値も確定する。放射線センサ８は、Ｓ２００で送信された付帯情報を保存する。
Ｓ３００において、ＣＰＵ３３は、Ｓ１０４で撮影がされたことを検知し、センサアレー３０から放射線画像情報をデジタル化して読み出し、Ｓ２００で送信された付帯情報と対応付けてワークメモリ３２に保存する。Ｓ２０５の処理が完了すると、放射線センサ８は、Ｓ２０５で送信された放射線発生装置情報の調整済値で、Ｓ２００で送信された付帯情報の放射線発生装置情報を更新する。
Ｓ３０１において、画像キャプチャ装置６は、何らかの要因で使用不能となり、再起動しても利用できない状態となったものとする。
【００３１】
Ｓ３０２において、ＣＰＵ３３は、放射線撮影技師等のユーザによる操作に基づいて、画像キャプチャ装置６との間の接続の切断を検知する。
Ｓ３０３において、ＣＰＵ３３は、放射線撮影技師等のユーザによる操作に基づいて、画像キャプチャ装置６と同一タイプの画像キャプチャ装置Ｂ１１と接続する。Ｓ３０３の処理は、図８のＳ４００の処理と同期して行われる。
Ｓ３０４において、ＣＰＵ５０は、放射線センサ８からセンサステータスを読み出す。Ｓ３０４の処理と図８のＳ４０２の処理とは、同様の処理である。
Ｓ３０５において、ＣＰＵ５０は、放射線センサ８から復旧対象の画像のＩｎｓａｔａｎｃｅ−ＵＩＤを読み出す。Ｓ３０５の処理と図８のＳ４０６の処理とは、同様の処理である。
【００３２】
Ｓ３０６において、ＣＰＵ５０は、Ｓ３０５で読み出したＩｎｓａｔａｎｃｅ−ＵＩＤに対応する検査の進捗状況を示す進捗情報を進捗管理サーバ３に対して要求する。より具体的には、ＣＰＵ５０は、進捗管理サーバ３に対して、Ｓ３０５で読み出したＩｎｓａｔａｎｃｅ  ＵＩＤとＮ−ＧＥＴの通知とを送信することで、前記進捗情報を進捗管理サーバ３に対して要求する。Ｓ３０６の処理と図８のＳ４０７の処理とは、同様の処理である。
Ｓ３０７において、ＣＰＵ５０は、放射線センサ８から復旧対象の画像と前記画像の付帯情報とを取得する。Ｓ３０７の処理とＳ４１５の処理とは、同様の処理である。
Ｓ３０８において、ＣＰＵ５０は、画像キャプチャ装置Ｂ１１の入力装置５３に対する放射線撮影技師等のユーザの操作に基づいて、以下の処理を行う。即ち、ＣＰＵ５０は、画像処理パラメータを調整して画質を最適化するように、Ｓ３０７で取得した画像に対して画像処理を施す。Ｓ３０８の処理とＳ４１６の処理とは、同様の処理である。
【００３３】
Ｓ３０９において、ＣＰＵ５０は、画像キャプチャ装置Ｂ１１の入力装置５３に対する放射線撮影技師等のユーザの操作に基づいて、検査を終了する。Ｓ３０９の処理は、Ｓ４１７の処理と同期して行われる。
Ｓ３１０において、ＣＰＵ５０は、最終確定したＳ３０８で調整した画像処理パラメータの情報を放射線センサ８へ送信する。Ｓ３１０の処理とＳ４１８の処理とは、同様の処理である。
Ｓ３１１において、ＣＰＵ５０は、Ｓ３０８で画像処理を施した画像をＰＡＣＳ４へ送信する。Ｓ３１１の処理とＳ４２０の処理とは、同様の処理である。
Ｓ３１２において、ＣＰＵ５０は、進捗管理サーバ３へ、Ｓ３０５で読み出したＩｎｓｔａｎｃｅ−ＵＩＤと共に検査を完了したことを示す通知であるＮ−Ｓｅｔとを送信する。Ｓ３１２の処理とＳ４２１の処理とは、同様の処理である。Ｉｎｓｔａｎｃｅ−ＵＩＤとＮ−Ｓｅｔとは、検査が完了したことを示す通知情報の一例である。
【００３４】
図８は、画像キャプチャ装置Ｂ１１の処理の一例を示すフローチャートである。
Ｓ４００において、ＣＰＵ５０は、放射線センサ８と接続されたか否かを判定する。ＣＰＵ５０は、放射線センサ８と接続されたと判定した場合、Ｓ４０２の処理へ進み、放射線センサ８と接続されていないと判定した場合、Ｓ４０２の処理へ進む。
Ｓ４０１において、ＣＰＵ５０は、現在実行している検査を継続する。
Ｓ４０２において、ＣＰＵ５０は、Ｓ４００で接続されたと判定した放射線センサ８からセンサステータスを取得する。
Ｓ４０３において、ＣＰＵ５０は、Ｓ４００で接続された放射線センサ８に放射線センサ８に画像が保存されているか否かを判定する。ＣＰＵ５０は、例えば、ワークメモリ３２、不揮発性メモリ３４等を探索することで、放射線センサ８に画像が保存されているか否かを判定する。また、ＣＰＵ５０は、放射線センサ８に対して、画像が保存されているか否かを問い合わせることで、放射線センサ８に画像が保存されているか否かを判定してもよい。ＣＰＵ５０は、放射線センサ８に画像が保存されていると判定した場合、Ｓ４０４の処理へ進む。ＣＰＵ５０は、放射線センサ８に画像が保存されていないと判定した場合、Ｓ４０１の処理へ進む。
【００３５】
Ｓ４０４において、ＣＰＵ５０は、Ｓ４０３で保存されているとされた画像の中に他の画像キャプチャ装置等の外部の装置に未転送のものがあるか否かを判定する。ＣＰＵ５０は、例えば、Ｓ４０３で保存されているとされた画像の属性情報等に基づいて、Ｓ４０３で保存されているとされた画像の中に未転送のものがあるか否かを判定する。ＣＰＵ５０は、例えば、放射線センサ８の送信履歴情報等に基づいて、Ｓ４０３で保存されているとされた画像の中に未転送のものがあるか否かを判定する。また、ＣＰＵ５０は、放射線センサ８に対して、Ｓ４０３で保存されているとされた画像の中に未転送のものがあるか否かを問い合わせることで、放射線センサ８に画像が保存されているか否かを判定してもよい。ＣＰＵ５０は、Ｓ４０３で保存されているとされた画像の中に画像キャプチャ装置等の外部の装置に未転送のものがあると判定した場合、Ｓ４０６の処理へ進む。ＣＰＵ５０は、Ｓ４０３で保存されているとされた画像の中に画像キャプチャ装置等の外部の装置に未転送のものがないと判定した場合、Ｓ４０５の処理へ進む。
Ｓ４０５において、ＣＰＵ５０は、Ｓ４０３で保存されているとされた画像の中に他の画像キャプチャ装置に転送済みのものがあるか否かを判定する。ＣＰＵ５０は、Ｓ４０３で保存されているとされた画像の中に他の画像キャプチャ装置に転送済みのものがあると判定した場合、Ｓ４０６の処理へ進む。ＣＰＵ５０は、Ｓ４０３で保存されているとされた画像の中に他の画像キャプチャ装置に転送済みのものがないと判定した場合、Ｓ４０１の処理へ進む。Ｓ４０５の判定処理は、撮影画像が他の画像キャプチャ装置へ送信されたが、前記他の画像キャプチャ装置が前記画像をＰＡＣＳ４へ保存する以前に動作不能となったケースに対応するためのものである。
Ｓ４０６において、ＣＰＵ５０は、放射線センサ８に保存されている未転送の画像又は他の画像キャプチャ装置に転送された画像のＩｎｓａｔａｎｃｅ  ＵＩＤを放射線センサ８から読み出す。
【００３６】
Ｓ４０７において、ＣＰＵ５０は、Ｓ４０６で読み出したＩｎｓｔａｎｃｅ  ＵＩＤに対応する検査の進捗状況を進捗管理サーバ３へ問い合わせる。より具体的には、ＣＰＵ５０は、進捗管理サーバ３に対して、前記Ｉｎｓｔａｎｃｅ  ＵＩＤと、前記検査の進捗状況を示す進捗情報を要求する通知であるＮ−ＧＥＴと、を送信することで前記検査の進捗状況を進捗管理サーバ３へ問い合わせる。
Ｓ４０８において、ＣＰＵ５０は、Ｓ４０７の問い合わせの結果、進捗管理サーバ３から取得したＳ４０６で読み出したＩｎｓｔａｎｃｅ  ＵＩＤに対応する検査の進捗情報に基づいて、前記検査が検査中か否かを判定する。より具体的には、ＣＰＵ５０は、前記進捗情報に含まれる前記検査のステータスが検査中であった場合、検査中であると判定し、前記情報に含まれる前記検査のステータスが検査中でなかった場合、検査中ではないと判定する。ＣＰＵ５０は、前記検査が検査中であると判定した場合、Ｓ４０９の処理へ進み、前記検査が検査中でないと判定した場合、Ｓ４１０の処理へ進む。Ｓ４０８、Ｓ４１０の処理は、進捗状況の特定処理の一例である。
Ｓ４０９において、ＣＰＵ５０は、前記検査が検査中であり、未保存の画像が存在する旨を表示装置５４等の画面に表示する。Ｓ４０９の処理は、前記検査の進捗状況の出力処理の一例である。
【００３７】
Ｓ４１０において、ＣＰＵ５０は、Ｓ４０６で読み出したＩｎｓｔａｎｃｅ  ＵＩＤに対応する検査が存在しないか否かを判定する。ＣＰＵ５０は、例えば、Ｓ４０７の問い合わせの結果取得した進捗情報に前記Ｉｎｓｔａｎｃｅ  ＵＩＤに対応する検査のステータスが含まれない場合、前記検査が存在しないと判定する。ＣＰＵ５０は、前記検査が存在しないと判定した場合、Ｓ４１２の処理へ進み、前記検査が存在すると判定した場合、Ｓ４０１の処理へ進む。
Ｓ４１１において、ＣＰＵ５０は、Ｓ４０９で表示した画面を介して、放射線撮影技師等のユーザに、放射線センサ８に保存されている未転送の画像又は他の画像キャプチャ装置に転送された画像をＰＡＣＳ４に保存するか否かを問い合わせる。Ｓ４０９で表示した画面は、操作画面の一例である。
Ｓ４１２において、ＣＰＵ５０は、Ｓ４１０で存在しないと判定された検査のＩｎｓｔａｎｃｅ  ＵＩＤに対応する画像を放射線センサ８から読み出す。
【００３８】
Ｓ４１３において、ＣＰＵ５０は、Ｓ４１１の問い合わせの結果、保存することが選択されたか否かを判定する。画像キャプチャ装置は、例えば、Ｓ４０９で「保存する」、「保存しない」と記載されたボタンを表示し、ユーザの操作に基づいて、「保存する」のボタンが押下されたことを検知した場合、保存することが選択されたと判定する。ＣＰＵ５０は、「保存しない」のボタンが押下されたことを検知した場合、保存しないことが選択されたと判定する。ＣＰＵ５０は、Ｓ４１１の問い合わせの結果、保存することが選択されたと判定した場合、Ｓ４１５の処理へ進み、保存することが選択されなかったと判定した場合、Ｓ４０１の処理へ進む。
Ｓ４１４において、ＣＰＵ５０は、Ｓ４１２で読み出した画像と、前記画像に対応するＩｎｓｔａｎｃｅ  ＵＩＤをＲＡＭ５１、記憶装置５２等に保存する。
Ｓ４１５において、ＣＰＵ５０は、Ｓ４０８で検査中と判定した検査のＩｎｓｔａｎｃｅ  ＵＩＤに対応する画像と前記画像の付帯情報とを放射線センサ８から読み出す。保存することが選択された場合のみ、放射線センサ８からの画像読み出しを行うことで、ＣＰＵ５０は、不要な画像読み出しによる処理遅延を防止できる。
【００３９】
Ｓ４１６において、ＣＰＵ５０は、表示装置５４にＳ４１５で読み出した画像を表示して、表示した画面を介した入力装置５３等に対するユーザの操作に基づいて、前記画像に施す画像処理の画像処理パラメータを最適化する。そして、ＣＰＵ５０は、最適化した画像処理パラメータで前記画像に画像処理を施す。
Ｓ４１７において、ＣＰＵ５０は、放射線撮影技師等のユーザの入力装置５３等に対する操作に基づいて、検査を終了する。
Ｓ４１８において、ＣＰＵ５０は、最終的に確定したＳ４１６で最適化した画像処理パラメータを放射線センサ８へ送信する。放射線センサ８は、送信された画像処理パラメータの値で、Ｓ４１５で読み出された画像の付帯情報を更新する。
【００４０】
Ｓ４１９において、ＣＰＵ５０は、Ｓ４２０でＰＡＣＳ４に保存した画像を記憶装置５２内の内部ＤＢに保存する。
Ｓ４２０において、ＣＰＵ５０は、Ｓ４１６で画像処理を施した画像をＰＡＣＳ４へ送信し、送信した画像を保存するよう指示する。
ＤＩＣＯＭタグのひとつである撮影済み放射線画像の端末ＩＤ（Ｓｔａｔｉｏｎ  ＩＤ）は、画像が放射線センサから読み出された場合、画像キャプチャ装置６の端末ＩＤとなっている。ＣＰＵ５０は、Ｓ４２０の処理を行う際、ＰＡＣＳ４に送信する画像の端末ＩＤを、画像キャプチャ装置Ｂ１１の端末ＩＤに変更する。また、ＣＰＵ５０は、Ｓ４１９の処理を行う際、前記画像の端末ＩＤを変更し復旧を行った旨のログを画像キャプチャ装置Ｂ１１の内部ＤＢに保存する。それにより、ＣＰＵ５０は、復旧処理の履歴を残すことができる。画像キャプチャ装置の端末ＩＤは、画像キャプチャ装置の識別情報の一例である。
Ｓ４２１において、ＣＰＵ５０は、進捗管理サーバ３へ、Ｓ４０８で検査中と判定した検査のＩｎｓｔａｎｃｅ  ＵＩＤと検査を完了したことを示す通知であるＮ−Ｓｅｔとを送信する。
図７、８の処理により、画像の復旧処理が完了し、放射線センサ８は、更新された画像処理パラメータを有する転送済み画像を保存する。また、ＰＡＣＳ４は、復旧された画像を保存する。
【００４１】
本実施形態の処理により、ＣＰＵ５０は、放射線撮影技師等のユーザへの問い合わせを最小限に留めることができる。ＣＰＵ５０は、特に複数の同一のデジタル放射線撮影システムを運用し、複数の放射線センサを無線接続で画像キャプチャ装置へ接続されている場合、他の放射線撮影技師がセンサ内に残した未保存画像を復旧する等の際に、多くの手間を削減できる。
【００４２】
＜実施形態２＞
実施形態１の処理により、放射線撮影実施後に画像キャプチャ装置６が動作不能になる様なケースにおいて、他の同一タイプの画像キャプチャ装置Ｂ１１にて撮影済み画像の復旧が可能となる。しかし、実施形態１の手順は、動作不能となった画像キャプチャ装置が進捗管理サーバへ「撮影開始」通知を正しく行えた場合を想定している。例えば、ＲＩＳ２からの検査オーダー入力ではなく、手動で検査情報を入力して検査開始したものの、画像キャプチャ装置６のＬＡＮ通信に障害があり、進捗管理サーバ３やＰＡＣＳ４がアクセスできない場合等については、実施形態１の処理では、進捗管理サーバ３に検査の履歴が残っていないため、対応できない。
また、実施形態１では、放射線センサ８上の画像記録用メモリとして、一定枚数の画像を記録するリングバッファを利用するという前提であった。その場合、撮影の失敗が起こってから、復旧作業を実施するまでに時間がかかり、その間に放射線センサ８を利用して別の撮影が実施されてしまうと、リングバッファ上の未保存画像が消失してしまう可能性がある。
【００４３】
実施形態２では、上記のような場合であっても画像の復旧を可能とする方法について述べる。
実施形態２におけるデジタル放射線撮影システムのシステム構成等は、図４と同様である。また、デジタル放射線撮影システムの各構成要素の詳細、デジタル放射線撮影システムの周辺機器の詳細についても、実施形態１と同様とする。
実施形態２の全体の処理を図９に示す。実施形態２における画像キャプチャ装置Ｂ１１の処理は、図８と同様である。画像キャプチャ装置６の復旧後の処理は、図１０に示す通りとなる。
【００４４】
図９は、画像復旧処理の一例を示すシーケンス図である。以下では、実施形態１の処理と異なる点について主に説明する。
Ｓ５００において、ＣＰＵ４０は、図２のＳ１００と異なり、ユーザによる入力装置４３に対する操作に基づいて、実行する検査のオーダーを受け付ける。ＣＰＵ４０は、オーダーを受け付ける際に、ユーザの操作に基づいて、患者情報や部位情報を取得する。ＣＰＵ４０は、オーダーを受付けた検査にＩｎｓｔａｎｃｅ  ＵＩＤを付与する。Ｓ２００で、画像キャプチャ装置は、前記Ｉｎｓｔａｎｃｅ  ＵＩＤを含む情報を、撮影を行う画像の付帯情報として放射線センサ８に送信する。
【００４５】
Ｓ５０１において、ＣＰＵ４０は、進捗管理サーバ３へ検査の開始を通知するため、前記Ｉｎｓｔａｎｃｅ  ＵＩＤとＮ−ＣＲＥＡＴＥとを進捗管理サーバ３への送信を試みる。しかし、画像キャプチャ装置６と院内ＬＡＮ１５との通信部に障害が有り、Ｎ−ＣＲＥＡＴＥは、進捗管理サーバ３へ到達しなかったものとする。
本実施形態では、ＣＰＵ４０は、迅速に撮影を進めるため、Ｎ−ＣＲＥＡＴＥの成否に関わらず以降の撮影を継続するものとする。ＣＰＵ４０は、Ｓ１０３の撮影準備を行い、Ｓ１０４の放射線撮影を実施する。そして、放射線センサ８は、Ｓ３００で、放射線画像を生成する。本実施形態では、Ｓ３０１で、ＣＰＵ４０は、通信部に障害があるため、撮影済み画像を放射線センサ８から取り込めず、更に、ＰＡＣＳ４への画像送信もできないため、停止状態となる。Ｓ３０２で、画像キャプチャ装置６が停止状態となったため、放射線センサ８と画像キャプチャ装置６との接続は、切断状態となる。
【００４６】
放射線センサ８自体には障害はないので、Ｓ３０３で、放射線センサ８は、ユーザの操作により、画像キャプチャ装置６から切り離され、画像キャプチャ装置Ｂ１１と接続する。そして、放射線センサ８と画像キャプチャ装置Ｂ１１とは、Ｓ３０３〜Ｓ３０７の処理を行う。
Ｓ５０２において、ＣＰＵ５０は、ユーザに対する警告なしに、Ｓ３０７で読み出した画像と前記画像の付帯情報とを、ＲＡＭ５１、記憶装置５２等に一時的に保存する。Ｓ５１２の処理により、ＣＰＵ５０は、放射線センサ８の画像保存用メモリがリングバッファであり、画像の上書きによって放射線センサ８上の未保存の画像が消去されてしまった場合でも、未保存画像を保存できる。
【００４７】
Ｓ５０３において、ＣＰＵ４０は、ユーザによる修理等に基づいて、画像キャプチャ装置６を復旧する。復旧後の画像キャプチャ装置６の処理の詳細を図１０に示す。図１０は、画像キャプチャ装置６の処理の一例を示すフローチャートである。
Ｓ６００において、ＣＰＵ４０は、障害から復旧したか否かを判定する。ＣＰＵ４０は、障害から復旧したと判定した場合、Ｓ６０１の処理へ進み、障害から復旧していないと判定した場合、障害からの復旧を待機する。
Ｓ６０１において、ＣＰＵ４０は、画像キャプチャ装置６の動作ログから直近の撮影ステータスをチェックする。
【００４８】
Ｓ６０２において、ＣＰＵ４０は、Ｓ６０１のチェックした動作ログに示される情報に基づいて、直近の動作ログに撮影中で且つ撮影画像が存在しない検査が存在するか否かを判定する。ＣＰＵ４０は、直近の動作ログに撮影中で且つ撮影画像が存在しない検査が存在すると判定した場合、Ｓ６０３の処理へ進み、直近の動作ログに撮影中で、且つ撮影画像が存在しない検査が存在しないと判定した場合、Ｓ６００の処理へ進む。
Ｓ６０３において、ＣＰＵ４０は、Ｓ６０２で存在すると判定された検査の進捗状況を進捗管理サーバ３に問い合わせる。より具体的には、ＣＰＵ４０は、進捗管理サーバ３に対して、前記検査に対応するＩｎｓｔａｎｃｅ  ＵＩＤと前記検査の進捗状況を示す進捗情報を要求する通知であるＮ−ＧＥＴとを送信することで、前記検査の進捗状況を問い合わせる。Ｓ６０３の処理とＳ５０４の処理とは、同様の処理である。
Ｓ６０４において、ＣＰＵ４０は、Ｓ６０３で問い合わせた結果に基づいて、前記検査が検査中又は存在しないか否かを判定する。ＣＰＵ４０は、前記検査が検査中又は存在しないと判定した場合、Ｓ６０６の処理へ進み、前記検査が完了していると判定した場合、Ｓ６０５の処理へ進む。
【００４９】
Ｓ６０５において、ＣＰＵ４０は、画像キャプチャ装置６内の検査ＤＢの前記検査の進捗状況を検査完了に設定する。検査ＤＢは、検査のログ情報を保存するデータベースであり、画像キャプチャ装置内に保存される。検査ＤＢは、検査の履歴情報の一例である。検査ＤＢへのデータの保存は、検査のログ情報の記憶制御処理の一例である。
Ｓ６０６において、ＣＰＵ４０は、放射線センサ８に対して、放射線センサ８内に、前記検査に対応するＩｎｓａｔａｎｃｅ  ＵＩＤに対応する画像が保存されているか否かを問い合わせる。Ｓ６０６の処理とＳ５０６の処理とは、同様の処理である。
Ｓ６０７において、ＣＰＵ４０は、Ｓ６０６の問い合わせの結果に基づいて、放射線センサ８内に前記Ｉｎｓｔａｎｃｅ  ＵＩＤに対応する画像が保存されているか否かを判定する。ＣＰＵ４０は、放射線センサ８内に前記Ｉｎｓｔａｎｃｅ  ＵＩＤに対応する画像が保存されていると判定した場合、Ｓ６０８の処理へ進む。ＣＰＵ４０は、放射線センサ８内に前記Ｉｎｓｔａｎｃｅ  ＵＩＤに対応する画像が保存されていないと判定した場合、Ｓ６０９の処理へ進む。
Ｓ６０８において、ＣＰＵ４０は、Ｓ６０７で放射線センサ８内に保存されていると判定された画像と前記画像の付帯情報とを、放射線センサ８から読み出す。
【００５０】
Ｓ６０９において、ＣＰＵ４０は、画像キャプチャ装置Ｂ１１に、前記Ｉｎｓｔａｎｃｅ  ＵＩＤに対応する画像を保存しているか否かを問合せる。Ｓ６０９の処理とＳ５０７の処理とは、同様の処理である。
Ｓ６１０において、ＣＰＵ４０は、Ｓ６０９の問い合わせの結果に基づいて、画像キャプチャ装置Ｂ１１が前記Ｉｎｓｔａｎｃｅ  ＵＩＤに対応する画像を保存しているか否かを判定する。ＣＰＵ４０は、画像キャプチャ装置Ｂ１１が前記Ｉｎｓｔａｎｃｅ  ＵＩＤに対応する画像を保存していると判定した場合、Ｓ６１２の処理へ進む。ＣＰＵ４０は、画像キャプチャ装置Ｂ１１が前記Ｉｎｓｔａｎｃｅ  ＵＩＤに対応する画像を保存していないと判定した場合、Ｓ６１１の処理へ進む。
Ｓ６１１において、ＣＰＵ４０は、画像の存在しない検査が存在する旨、表示装置４４等に表示する。
Ｓ６１２において、ＣＰＵ４０は、画像キャプチャ装置Ｂ１１が保存している前記Ｉｎｓｔａｎｃｅ  ＵＩＤに対応する画像と前記画像の付帯情報とを、画像キャプチャ装置Ｂ１１から取得する。Ｓ６１２の処理とＳ５０８の処理とは、同様の処理である。
【００５１】
Ｓ６１３において、ＣＰＵ４０は、Ｓ６１２で取得した画像を表示装置４４等に表示し、表示した画像を介したユーザの操作に基づいて、画像処理パラメータを最適化し、最適化された画像処理パラメータで前記画像に画像処理を施す。Ｓ６１３の処理とＳ５０９の処理とは、同様の処理である。
Ｓ６１４において、ＣＰＵ４０は、前記Ｉｎｓｔａｎｃｅ  ＵＩＤに対応する検査を完了するか否かを判定する。Ｓ６１４の処理とＳ５１０の処理とは、同様の処理である。
Ｓ６１５において、ＣＰＵ４０は、Ｓ６０８の処理を実行した場合、Ｓ６１３で最適化された画像処理パラメータを放射線センサ８に送信する。放射線センサ８は、送信された画像処理パラメータの値で、Ｓ６０８で読み出された画像の付帯情報を更新する。
【００５２】
Ｓ６１６において、ＣＰＵ４０は、Ｓ６１３で画像処理を施した画像をＰＡＣＳ４へ送信する。Ｓ６１６の処理とＳ５１１の処理とは、同様の処理である。
Ｓ６１７において、ＣＰＵ４０は、進捗管理サーバ３へ、前記Ｉｎｓｔａｎｃｅ  ＵＩＤと検査を完了したことを示す通知であるＮ−Ｓｅｔとを送信する。Ｓ６１７の処理とＳ５１２の処理とは、同様の処理である。
Ｓ６１８において、ＣＰＵ４０は、画像キャプチャ装置６内の画像ＤＢに、Ｓ６１６でＰＡＣＳ４へ送信した画像を保存する。
【００５３】
本実施形態の処理により、画像キャプチャ装置６は、進捗管理サーバ３にＩｎｓｔａｎｃｅ  ＵＩＤによる検査進捗状況の問合せた結果、前記Ｉｎｓｔａｎｃｅ  ＵＩＤに対応する検査が進捗管理サーバ３に存在しない場合でも、撮影済みの画像を復旧できる。
【００５４】
＜実施形態３＞
実施形態１、２では、放射線センサ８の画像保存用メモリ１４がリングバッファ構造で、撮影済み画像を一定枚数保存できる場合の画像復旧手順について説明した。
一方で、特許文献２のように、画像保存用のメモリを有する放射線センサで、画像キャプチャ装置側からの画像受信成功信号を放射線センサが受け取ると、放射線センサ内の撮影済み画像データを消去する放射線センサも存在している。そのような放射線センサの場合、放射線センサ内に残されている画像は、全て検査中の画像となるため、実施形態１、２のように進捗管理サーバ３への検査進捗問合せを実施することなく、復旧が必要であることが明らかである。したがって、そのような放射線センサであれば、画像キャプチャ装置は、放射線センサ内に画像が保存されていれば、無条件に警告や、ユーザ判断要求を実施すればよい。
しかし、上記のケースでも、画像キャプチャ装置６が撮影済み画像をＰＡＣＳ４に送信してから、放射線センサ８へ画像受信成功信号を送信するまでの間に画像キャプチャ装置６が動作を停止した場合、復旧が不要な画像に関する警告、ユーザ判断等が要求される。
【００５５】
図１１、図１２は、デジタル放射線撮影システムの処理の一例を示すシーケンス図である。
Ｓ７００の処理は、Ｓ１００、Ｓ５００等の処理と同様の処理である。Ｓ７０１の処理は、Ｓ１０２の処理と同様の処理である。Ｓ７０２の処理は、Ｓ１０３の処理と同様である。Ｓ７０３の処理は、Ｓ１０４の処理と同様である。Ｓ７０４の処理は、Ｓ３００の処理と同様である。Ｓ７０５の処理は、Ｓ２０６の処理と同様である。Ｓ７０６の処理は、Ｓ１０５の処理と同様である。Ｓ７０８の処理は、Ｓ１０６の処理と同様である。
図１１に一般的な画像消去を伴う撮影処理を示す。
Ｓ７０９において、ＣＰＵ４０は、Ｓ７０６で画像処理を施した撮影済み画像をＰＡＣＳ４へ送信する。
Ｓ７１０において、ＣＰＵ４０は、進捗管理サーバ３へ、実行していた検査のＩｎｓｔａｎｃｅ  ＵＩＤと撮影完了を通知するＮ−ＳＥＴとを送信する。
Ｓ７１１において、ＣＰＵ４０は、放射線センサ８に対して、Ｓ７１０で撮影完了を通知した検査に対応する画像の消去命令を送信する。
【００５６】
Ｓ７１２において、放射線センサ８は、Ｓ７１１で消去命令が来た画像をワークメモリ３２、不揮発性メモリ等の保存領域から消去する。
期間７１３は、Ｓ７０９の処理が行われてからＳ７１１の処理が行われるまでの間を示す。
期間７１３に画像キャプチャ装置６に障害が生じると、撮影済み画像がＰＡＣＳ４に保存されているにも関わらず、放射線センサ８上には画像が保存されている状態が、生じる。
図１２に撮影完了後に特別な出力用画像処理を実施して画像消去を行う処理を示す。
Ｓ７２０の処理は、Ｓ７１０の処理と同様である。Ｓ７２３の処理は、Ｓ７１１の処理と同様である。Ｓ７２４の処理は、Ｓ７１２の処理と同様である。
【００５７】
Ｓ７２１において、ＣＰＵ４０は、Ｓ７０６で画像処理を施した画像に対して、更に、出力する画像に対して施すように設定された画像処理を施す。
Ｓ７２２において、ＣＰＵ４０は、Ｓ７２１で画像処理を施した画像をＰＡＣＳ４へ送信する。
期間７２３は、Ｓ７２２の処理が行われてからＳ７２３の処理が行われるまでの間を示す。
期間７２３に画像キャプチャ装置６に障害が生じると、撮影済み画像がＰＡＣＳ４に保存されているにも関わらず、放射線センサ８上には画像が保存されている状態が、生じる。
【００５８】
実施形態３では、上記の様なケースであっても不要な警告やユーザ判断を行わない手法について説明する。
実施形態３におけるデジタル放射線撮影システムのシステム構成等は、図４と同様である。また、デジタル放射線撮影システムの各構成要素の詳細、デジタル放射線撮影システムの周辺機器の詳細についても、実施形態１と同様とする。
実施形態３の全体の処理を図１３に示す。以下では、実施形態１、２の処理と異なる点について主に説明する。
【００５９】
実施形態３の画像キャプチャ装置Ｂ１１の処理を図１４に示す。
Ｓ９００において、ＣＰＵ５０は、放射線センサ８との接続があったか否かを判定する。ＣＰＵ５０は、放射線センサ８との接続があったと判定した場合、Ｓ９０２の処理へ進み、放射線センサ８との接続がなかったと判定した場合、Ｓ９０１の処理へ進む。Ｓ９００で、ＣＰＵ５０は、Ｓ３０３の処理が実行されていると、放射線センサ８との接続があったと判定する。
Ｓ９０１において、ＣＰＵ５０は、現在実行している検査の実行を継続する。
Ｓ９０２において、ＣＰＵ５０は、Ｓ９０１で接続があると判定された放射線センサ８からセンサステータスを読み出す。Ｓ９０２の処理は、Ｓ３０４の処理と同様である。
【００６０】
Ｓ９０３において、ＣＰＵ５０は、Ｓ９０２で読み出したセンサステータスに基づいて、放射線センサ８内に画像が保存されているか否かを判定する。ＣＰＵ５０は、放射線センサ８内に画像が保存されていると判定した場合、Ｓ９０４の処理へ進み、放射線センサ８内に画像が保存されていないと判定した場合、Ｓ９０１の処理へ進む。
Ｓ９０４において、ＣＰＵ５０は、放射線センサ８には未転送の画像が存在するため、前記画像のＩｎｓｔａｎｃｅ  ＵＩＤを放射線センサ８から読み出す。Ｓ９０４の処理とＳ３０５の処理とは、同様の処理である。
Ｓ９０５において、ＣＰＵ５０は、ＰＡＣＳ４に対して、Ｓ９０４で読み出したＩｎｓｔａｎｃｅ  ＵＩＤに対応する検査の画像が保存されているか否かを問い合わせる。Ｓ９０５の問い合わせ処理には、一般的なプロセスが定義されていないため、ＣＰＵ５０は、ＰＡＣＳ４へ前記Ｉｎｓｔａｎｃｅ  ＵＩＤに対応する画像をＱｕｅｒｙして、その結果、画像が返されるか否かをチェックする必要がある。Ｓ９０５の処理とＳ８００の処理とは、同様の処理である。
【００６１】
Ｓ９０６において、ＣＰＵ５０は、前記Ｉｎｓｔａｎｃｅ  ＵＩＤに対応する検査の撮影画像がＰＡＣＳ４内に保存されているか否かを判定する。ＣＰＵ５０は、前記Ｉｎｓｔａｎｃｅ  ＵＩＤに対応する検査の撮影画像がＰＡＣＳ４内に保存されていると判定した場合、Ｓ９１４の処理へ進む。ＣＰＵ５０は、前記Ｉｎｓｔａｎｃｅ  ＵＩＤに対応する検査の撮影画像がＰＡＣＳ４内に保存されていないと判定した場合、Ｓ９０７の処理へ進む。
Ｓ９０７において、ＣＰＵ５０は、未保存の画像が存在する旨を表示装置５４等に表示する。
Ｓ９０８において、ＣＰＵ５０は、Ｓ９０７で表示した画面を介して、ユーザに未保存の画像の保存を行うか否かを問い合わせる。
Ｓ９０９において、ＣＰＵ５０は、Ｓ９０７で表示した画面を介したユーザによる操作に基づいて、未保存の画像を保存するか否かを判定する。
【００６２】
Ｓ９１０において、ＣＰＵ５０は、放射線センサ８から、Ｓ９０６でＰＡＣＳ４内に保存されているとされた未保存の画像と前記画像の付帯情報とを読み出す。Ｓ９１０の処理とＳ８０１の処理とは、同様の処理である。
Ｓ９１１において、ＣＰＵ５０は、表示装置５４にＳ９１０で読み出した画像を表示して、表示した画面を介した入力装置５３等に対するユーザの操作に基づいて、前記画像に施す画像処理の画像処理パラメータを最適化する。そして、ＣＰＵ５０は、最適化した画像処理パラメータで前記画像に画像処理を施す。Ｓ９１１の処理とＳ８０２の処理とは、同様の処理である。
Ｓ９１２において、ＣＰＵ５０は、放射線撮影技師等のユーザの入力装置５３等に対する操作に基づいて、検査を終了する。Ｓ９１２の処理とＳ８０３の処理とは、同様の処理である。
【００６３】
Ｓ９１３において、ＣＰＵ５０は、Ｓ９１１で画像処理を施した画像を前記画像に対応するＩｎｓｔａｎｃｅ  ＵＩＤと共にＰＡＣＳ４へ送信する。Ｓ９１３の処理とＳ８０４の処理とは、同様の処理である。
本実施形態でも実施形態１と同様に、画像キャプチャ装置Ｂ１１は、復旧した撮影済み放射線画像をＰＡＣＳ４へ送信する際、以下の処理を行うことができる。即ち、画像キャプチャ装置Ｂ１１は、ＤＩＣＯＭタグのひとつである撮影済み放射線画像の端末ＩＤを、復旧を行った画像キャプチャ装置Ｂ１１の端末ＩＤで更新する。そして、画像キャプチャ装置Ｂ１１は、Ｓ９１３の処理を実行する際に、端末ＩＤを変更して復旧を実施した旨のログを、画像キャプチャ装置Ｂ１１内に保存することで、復旧を実施した履歴を残すことができる。
Ｓ９１４において、ＣＰＵ５０は、放射線センサ８に対して、Ｓ９１０で読み出した画像の消去を命じる命令を送信する。Ｓ９１４の処理とＳ８０５の処理とは、同様の処理である。
Ｓ８０６において、放射線センサ８は、Ｓ９１４の命令を受信すると、保存している前記画像を消去する。
【００６４】
本実施形態の処理によって、画像キャプチャ装置Ｂ１１は、撮影済み画像がＰＡＣＳ４に保存されている場合、ユーザへの警告や操作要求を行わないため、ユーザである放射線撮影技師への問い合わせを最小限に留めることができる。
実施形態１〜３の処理により、何らかの障害によって放射線撮影中に稼働停止した画像キャプチャ装置と同一タイプの別の画像キャプチャ装置は、撮影済み画像を復旧する際に、無用なユーザへの警告や、操作要求を行わない。そのため、前記画像キャプチャ装置は、ユーザの煩わしさを軽減できる。又、前記画像キャプチャ装置は、リングバッファ構造を持つ放射線センサの未保存の画像が、上書き消去されてしまうことを防止できるため、患者に対する無効被爆を低減することができる。
【００６５】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【符号の説明】
【００６６】
６  画像キャプチャ装置、８  放射線センサ、１１  画像キャプチャ装置Ｂ、４０  ＣＰＵ、５０  ＣＰＵ
【図１】
2016158663.tif 000003
【図２】
2016158663.tif 000004
【図３】
2016158663.tif 000005
【図４】
2016158663.tif 000006
【図５】
2016158663.tif 000007
【図６】
2016158663.tif 000008
【図７】
2016158663.tif 000009
【図８】
2016158663.tif 000010
【図９】
2016158663.tif 000011
【図１０】
2016158663.tif 000012
【図１１】
2016158663.tif 000013
【図１２】
2016158663.tif 000014
【図１３】
2016158663.tif 000015
【図１４】
2016158663.tif 000016